(57)【要約】【課題】発光パネルの大きさを大きく確保することができる照明器具を提供する。【解決手段】照明器具１０は、表面１ａから光を放射する発光パネル１と、この発光パネル１が挿入されて装着される凹部２１を有する筐体２とを備えている。凹部２１の開口周縁部には、互いに対向する位置に一対の切欠き２３が設けられており、筐体２には、切欠き２３を塞ぐことが可能な蓋部材３が、当該切欠き２３を塞ぐ塞ぎ位置とこの塞ぎ位置から外側に退避する退避位置との間で揺動可能となるように取り付けられている。【選択図】図２
2007188710.tif 000002
【特許請求の範囲】
【請求項１】
表面から光を放射する発光パネルと、この発光パネルが挿入されて装着される凹部を有する筐体とを備え、
前記凹部の開口周縁部には、互いに対向する位置に一対の切欠きが設けられており、前記筐体には、前記切欠きを塞ぐことが可能な蓋部材が、当該切欠きを塞ぐ塞ぎ位置とこの塞ぎ位置から外側に退避する退避位置との間で揺動可能となるように取り付けられていることを特徴とする照明器具。
【請求項２】
前記筐体は、凹部が下方に開口するよう天井側に配設されるものであることを特徴とする請求項１に記載の照明器具。
【発明の詳細な説明】
【技術分野】
【０００１】
本発明は、発光パネルを用いた照明器具に関するものである。
【背景技術】
【０００２】
従来、照明器具の光源としては、蛍光ランプや白熱電球等が知られているが、近年では、有機ＥＬ（Electro Luminescence）や無機ＥＬを利用した電球型ＥＬランプが提案されている（例えば特許文献１参照）。
【０００３】
この電球型ＥＬランプは、球状のガラスバルブの内面に、透明の第１電極層、発光層、金属製の第２電極層が順次積層されて構成されたものである。そして、第１電極層と第２電極層の間に電圧が印加されると、発光層が発光し、その光が第１電極層を透過してガラスバルブの表面から放射される。
【特許文献１】特開２００４−２０７０８１号公報
【発明の開示】
【発明が解決しようとする課題】
【０００４】
このような電球型ＥＬランプでは、球状のガラスバルブの内面に各種の層を積層するのに手間がかかるため、コストが高くなる。そこで、基材としてガラス基板等を用い、その上に第１電極層、発光層、第２電極層等を積層した板状の発光パネルを光源とすることが考えられる。
【０００５】
しかしながら、このような発光パネルを、例えばダウンライト等壁面埋込式の照明器具の光源として採用した場合には、天井等に取り付けられる筐体の凹部に発光パネルを挿入して装着する際に、発光パネルを摘んだ状態のまま凹部に挿入できるようにするために、発光パネルと凹部の内周面との間に指が入るだけの隙間を設ける必要があり、その分だけ発光パネルの大きさが凹部の大きさよりも小さくなる。
【０００６】
本発明は、このような事情に鑑み、発光パネルの大きさを大きく確保することができる照明器具を提供することを目的とする。
【課題を解決するための手段】
【０００７】
前記課題を解決するために、本発明の照明器具は、表面から光を放射する発光パネルと、この発光パネルが挿入されて装着される凹部を有する筐体とを備え、前記凹部の開口周縁部には、互いに対向する位置に一対の切欠きが設けられており、前記筐体には、前記切欠きを塞ぐことが可能な蓋部材が、当該切欠きを塞ぐ塞ぎ位置とこの塞ぎ位置から外側に退避する退避位置との間で揺動可能となるように取り付けられていることを特徴とするものである。
【０００８】
コストダウンを図るために、前記筐体は、凹部が下方に開口するよう天井側に配設されるものであることが好ましい。
【発明の効果】
【０００９】
本発明によれば、筐体の凹部における開口周縁部の互いに対向する位置に一対の切欠きを設けたから、発光パネルを凹部に装着するときには、切欠きに対応する位置で発光パネルを摘めば、発光パネルを摘む指を切欠き内に入り込ませながら発光パネルを凹部に挿入することができる。すなわち、発光パネルと凹部の内周面との間に指が入るだけの隙間を設けなくても、発光パネルを摘んだ状態のまま凹部に挿入することができるため、発光パネルの大きさを凹部の大きさと同程度にまで大きくすることが可能になる。しかも、筐体には、切欠きを塞ぐことが可能な蓋部材を、当該切欠きを塞ぐ塞ぎ位置とこの塞ぎ位置から外側に退避する退避位置との間で揺動可能となるように取り付けたから、蓋部材を退避位置に揺動させることで、前記のように発光パネルを摘む指を切欠き内に入り込ませることが可能になるとともに、蓋部材を塞ぎ位置に揺動させることで、切欠きを塞いで見栄えを向上させることができる。
【発明を実施するための最良の形態】
【００１０】
以下、本発明を実施するための最良の形態について、図面を参照しながら詳細に説明する。
【００１１】
図１および図２（ａ）（ｂ）に示すように、本発明の一実施形態に係る照明器具１０は、表面１ａから光を放射する板状の発光パネル１と、この発光パネル１を収容する筐体２とを備えている。
【００１２】
発光パネル１は、有機ＥＬを利用したものであり、平面視で正方形状をなしている。具体的には、発光パネル１は、図３に示すように、基板１１と、この基板１１の上面に積層された第１電極層１２、有機発光層１３および第２電極層１４からなる有機ＥＬ層と、第１封止部材１５および第２封止部材１６とを備えている。すなわち、基板１１の下面が発光パネル１の表面１ａを構成し、第２封止部材１６の上面が発光パネル１の裏面１ｂを構成している。
【００１３】
基板１１は、前記有機ＥＬ層を支持するための平板状の部材であり、有機発光層１３で発光する光の波長に対して透明な材料、例えばガラス等からなる。
【００１４】
第１電極層１２は、有機発光層１３で発光する光の波長に対して透明な材料からなる導電性の薄膜であり、陽極となる。第１電極層１２は、有機発光層１３が可視光を発光するので、例えばＩＴＯ（Indium Tin Oxide）等で形成される。第１電極層１２は、その一部が基板１１の一方端側に第１封止部材１５から露出するように引き出されて陽極端子部１２１を形成している。
【００１５】
有機発光層１３は、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極層１２および第２電極層１４も記載すると、例えば以下の層構造である。
（１）（第１電極層１２；陽極）／発光層／（第２電極層１４；陰極）
（２）（第１電極層１２；陽極）／正孔輸送層／発光層／（第２電極層１４；陰極）
（３）（第１電極層１２；陽極）／発光層／電子輸送層／（第２電極層１４；陰極）
（４）（第１電極層１２；陽極）／正孔輸送層／発光層／電子輸送層／（第２電極層１４；陰極）
（５）（第１電極層１２；陽極）／正孔注入層／正孔輸送層／発光層／電子輸送層／電子注入層／（第２電極層１４；陰極）
第２電極層１４は、有機発光層１３で発光する波長の光を反射する材料からなる導電性の薄膜であり、陰極となる。第２電極層１４は、例えばアルミニウム（Ａｌ）、アルミリチウム（Ａｌ：Ｌｉ）およびマグネシウム銀（Ｍｇ：Ａｇ）等の金属や合金等で形成される。第２電極層１４は、その一部が基板１１の一方端側に対向する他方端側に第１封止部材１５から露出するように引き出されて陰極端子部１４１を形成している。
【００１６】
第１封止部材１５および第２封止部材１６は、基板１１と協同して有機発光層１３を気密に封止するための絶縁性の部材である。例えば接着性を有する樹脂製の第１封止部材１５が、陽極端子部１２１を除く第１電極層１２、有機発光層１３および陰極端子部１４１を除く第２電極層１４を覆うように塗布され、例えばガラス製の板状部材からなる第２封止部材１６が、第１封止部材１５を介して第２電極層１４上に載せられて圧力が加えられことによって、第２封止部材１６が第１封止部材１５によって第２電極層１４に接着されると共に、第２封止部材１６の周縁部が第１封止部材１５によって基板１１に気密に接着して接合される。これによって第１封止部材１５および第２封止部材１６は、基板１１と協同して有機発光層１３を気密に封止する。
【００１７】
また、第２封止部材１６の上面、すなわち発光パネル１の裏面１ｂには、一対の口金１７が設けられている。この口金１７は、裏面１ｂに配索された導電線１７ａ，１７ｂによって陽極端子部１２１および陰極端子部１４１と電気的に接続されている。
【００１８】
筐体２は、例えば天井６等の天井側に配設されるものであり、発光パネル１が挿入されて装着される下方に開口する凹部２１と、この凹部２１の下端部から外側に広がる鍔部２２とを有している。
【００１９】
凹部２１は、平面視で発光パネル１よりも僅かに大きな略正方形状の底壁２１ｂと、この底壁２１ｂの周縁部から下方に延在する周壁２１ａとで構成されている。
【００２０】
凹部２１の底面、すなわち底壁２１ｂの下面には、発光パネル１の口金１７が接続可能な一対のソケット２４が設けられている。これらのソケット２４および口金１７は、差込固定式のものであり、発光パネル１を凹部２１に挿入する際に、口金１７をソケット２４に下方から押し込むことにより、口金１７とソケット２４とが接続されて、発光パネル１がその位置で保持されるようになっている。
【００２１】
また、凹部２１の開口周縁部には、互いに対向する位置に一対の切欠き２３が設けられている。この切欠き２３は、発光パネル１を指９で摘んで凹部２１に挿入するときに、指９と筐体２とが干渉する部分が切り欠かれることにより形成されており、凹部２１の周壁２１ａと鍔部２２とに跨っている。具体的には、切欠き２３の幅は、指９の太さと同等またはそれよりも大きく設定され、切欠き２３の高さは、上下方向で鍔部２２の下面からソケット２４までの距離よりも少し大きく設定されている。
【００２２】
さらに、筐体２には、切欠き２３に嵌り込んで当該切欠き２３を塞ぐことが可能な蓋部材３が取り付けられている。この蓋部材３は、鍔部２２が切り掛かれた部分に嵌り込む水平部３ａと、周壁２１ａが切り掛かれた部分に嵌り込む垂直部３ｂとを有していて、断面略Ｌ字状をなしている。そして、蓋部材３は、水平部３ａが蝶番４で鍔部２２に連結されることにより、切欠き２３を塞ぐ塞ぎ位置（図２（ａ）に示す位置）とこの塞ぎ位置から外側に退避する退避位置（図２（ｂ）に示す位置）との間で揺動可能となっている。
【００２３】
蝶番４は、ねじりコイルばねが組み込まれたものであり、蓋部材３を常に塞ぎ位置に揺動させる方向に付勢している。また、蓋部材３の垂直部３ｂの上端部には、当て板３１が取り付けられており、当て板３１が周壁２１ａに当接することにより蓋部材３が塞ぎ位置よりも内側に揺動しないようになっている。
【００２４】
このように構成された照明機器１０では、発光パネル１を凹部２１に装着するときには、図２（ａ）に示すように、切欠き２３に対応する位置で発光パネル１を摘めば、発光パネル１を摘む指９で蓋部材３を押して蝶番４のねじりコイルばねの付勢力に抗して蓋部材３を退避位置に揺動させることができるため、図２（ｂ）に示すように、指９を切欠き２３内に入り込ませながら発光パネル１を凹部２３に挿入することができる。すなわち、発光パネル１と凹部２１の内周面との間に指９が入るだけの隙間を設けなくても、発光パネル１を摘んだ状態のまま凹部２１に挿入することができるため、発光パネル１の大きさを凹部２１の大きさと同程度にまで大きくすることが可能になる。
【００２５】
そして、口金１７をソケット２４に押し込んで、発光パネル１を凹部２１に装着した後は、指９を引き抜けば、蝶番４のねじりコイルばねの付勢力により蓋部材３が塞ぎ位置に揺動するため、切欠き２３を塞いで見栄えを向上させることができる。
【００２６】
また、発光パネル１を取り外す際には、蓋部材３を退避位置に揺動させながら切欠き２３内に指９を挿入すれば、発光パネル１を容易に摘んで下方に引き下げることができるため、発光パネル１の取り外しも簡単に行うことができる。
【００２７】
本実施形態では、ねじりコイルばねが組み込まれた蝶番４を用いているので、筐体２を凹部２１が側方に開口するよう壁側にまたは上方に開口するよう床側に配設しても、ねじりコイルばねの付勢力によって蓋部材３を塞ぎ位置に揺動させることは可能である。ただし、本実施形態のように、筐体２を凹部２１が下方に開口するよう天井側に配設すれば、蓋部材３を自重で退避位置から塞ぎ位置に揺動させることが可能になるため、ねじりコイルばねが組み込まれた蝶番４に代えてねじりコイルばねが組み込まれていない蝶番を採用することができ、コストダウンを図ることができる。
【００２８】
例えば、蓋部材３の水平部３ａの長さを垂直部３ｂの高さよりも十分大きく設定すれば、塞ぎ位置と退避位置との間の揺動角度が小さくなるため、蓋部材３を退避位置に揺動させても蓋部材３には塞ぎ位置に揺動させる方向に重力が働くようになり、ねじりコイルばねが組み込まれていない蝶番を採用しても蓋部材３が自重で塞ぎ位置に揺動するようになる。
【００２９】
または、図４に示すように、垂直部３ｂの上端部を周壁２ａに蝶番４で連結しても、蓋部材３には常に塞ぎ位置に揺動させる方向に重力が働くようになるため、ねじりコイルばねが組み込まれていない蝶番を採用しても蓋部材３が自重で塞ぎ位置に揺動するようになる。
【００３０】
また、蓋部材３を揺動可能に筐体２に取り付けるには、蝶番４を用いなくても、例えば切欠き２３の内周面の対向する位置に一対の揺動軸を突設するとともに、蓋部材３の端面に前記揺動軸に嵌合する嵌合穴を設け、これらを嵌合させるようにしてもよい。
【００３１】
さらに、蓋部材３を塞ぎ位置に揺動させる方向に付勢する手段として、板バネを鍔部２２の上面に取り付けることも可能である。
【００３２】
また、発光パネル１および筐体２の凹部２１の形状は、平面視で円形状または多角形状等であってもよい。
【００３３】
なお、発光パネルの大きさを大きく確保することができるようにするには、図５および図６（ａ）（ｂ）に示す変形例の照明器具１０’のようにしてもよい。
【００３４】
この照明器具１０’は、前述した照明器具１０と比べ、筐体２に切欠き２３を設ける代わりに発光パネル１’に切欠き１８を設けた点で異なっており、その他の構成は略同じである。
【００３５】
切欠き１８は、発光パネル１’の平行な２辺にそれぞれ設けられており、その形状は、平面視で矩形状になっている。そして、切欠き１８の大きさは、指９が挿入可能な程度に設定されている。
【００３６】
また、発光パネル１’には、切欠き１８を塞ぐことが可能な蓋部材７が、ねじりコイルばね（図示せず）が組み込まれた蝶番４によって上下方向に揺動可能に取り付けられている。
【００３７】
蓋部材７は、平面視で矩形状の板からなっており、その下面は、鏡面または発光パネル１’の表面１ａと同色に仕上げられている。なお、この蓋部材７には、図示は省略するが、前述した蓋部材３と同様の当て板３１が取り付けられており、蓋部材７が切欠き１８を塞ぐ塞ぎ位置で静止するようになっている。
【００３８】
このように構成された照明器具１０’では、図６（ａ）に示すように、蓋部材７を上方に揺動させながら切欠き１８内に指９を挿入して発光パネル１’を摘むことができるため、図６（ｂ）に示すように、発光パネル１’を摘んだ状態のまま筐体２の凹部２１に挿入して装着することができる。また、装着後も、蓋部材９を上方に揺動させながら切欠き１８内に指９を挿入することができるため、発光パネル１’の取り外しも簡単に行うことができる。
【００３９】
このようにすれば、発光パネル１’と凹部２１の内周面との間に指９が入るだけの隙間を設ける必要がなくなるため、発光パネル１’の大きさを凹部２１の大きさと同程度にまで大きくすることが可能になる。
【００４０】
なお、前記各実施形態では、発光パネル１は、有機ＥＬを利用したものであったが、発光パネル１は、無機ＥＬを利用したものであってもよい。
【図面の簡単な説明】
【００４１】
【図１】本発明の一実施形態に係る照明器具の斜視図である。
【図２】照明器具の正面断面図であり、（ａ）は筐体の凹部に発光パネルを挿入する前の状態、（ｂ）は筐体の凹部に発光パネルを挿入した後の状態を示す。
【図３】（ａ）は発光パネルの平面図、（ｂ）は（ａ）のＡ−Ａ線断面図である。
【図４】変形例の筐体の一部正面断面図である。
【図５】変形例の照明器具の発光パネルの斜視図である。
【図６】変形例の照明器具の正面断面図であり、（ａ）は筐体の凹部に発光パネルを挿入する前の状態、（ｂ）は筐体の凹部に発光パネルを挿入した後の状態を示す。
【符号の説明】
【００４２】
１，１’  発光パネル
２    筐体
２１  凹部
２２  鍔部
２３  切欠き
３，７    蓋部材
４    蝶番
９    指
１０，１０’  照明器具
【図１】
2007188710.tif 000003
【図２】
2007188710.tif 000004
【図３】
2007188710.tif 000005
【図４】
2007188710.tif 000006
【図５】
2007188710.tif 000007
【図６】
2007188710.tif 000008